【手続補正書】
【提出日】平成18年1月26日(2006.1.26)
【手続補正１】
【補正対象書類名】特許請求の範囲
【補正対象項目名】全文
【補正方法】変更
【補正の内容】
【特許請求の範囲】
【請求項１】
ライセンス許諾により配信されるディジタル情報の配信チャネルを追跡することが可能な方法であって、
前記ディジタル情報（２２）の以前の所有及び前記ディジタル情報（２２）のライフサイクルに関する履歴データを含むライセンス要求（６４）を生成することにより、実行ライセンス（４１、６５）を要求するステップと、
ライセンス制御ユニット（２１）によって、前記ディジタル情報（２２）の使用を制御するために、要求された前記実行ライセンス（４１、６５）を生成するためのライセンス作成ユニット（２５、４０１）に、前記ライセンス要求（６４）を送信するステップとを含むことを特徴とする配信チャネルの追跡方法。
【請求項２】
前記ライセンス作成ユニット（２５、４０１）において、新しいデモライセンス（６９）及び前記ディジタル情報（２２）の現在及び以前の所有に関するデータを含む前記ライセンステンプレート（６３）を生成し、前記要求された実行ライセンス（４１、６５）とともに、新しいデモライセンス（６９）及び前記ライセンステンプレート（６３）を送信するステップを含むことを特徴とする請求項１に記載の配信チャネルの追跡方法。
【請求項３】
さらに特定のディジタル情報（２２）を使用するための前記実行ライセンス（４１、６５）の要求を可能にするために、前記新しいデモライセンス（６９）及び前記ライセンステンプレート（６３）を転送するステップを含むことを特徴とする請求項２に記載の配信チャネルの追跡方法。
【請求項４】
前記ライセンス要求（６４）の属性が、前記ディジタル情報（２２）を使用するために要求される装置を識別するためのデータ及び前記ディジタル情報（２２）の以前の所有を含む前記履歴データを含むことを特徴とする請求項１に記載の配信チャネルの追跡方法。
【請求項５】
ライセンス要求ユニット（２４、４０３）によって、現在のライセンステンプレート（６３）のデータ及び／又は前記ディジタル情報（２２）のデモライセンス（６９）のデータ及び／又は前記ディジタル情報（２２）の以前の実行ライセンス（４１、６５）のデータ及び／又はアドオン製品の基本製品のデータを取り出すステップを含むことを特徴とする請求項４に記載の配信チャネルの追跡方法。
【請求項６】
使用された前記ディジタル情報（２２）の配信チャネル及び前記ディジタル情報（２２）のライフサイクルに関する前記履歴データが、前記ディジタル情報（２２）の発行元によって制御されるライセンス作成ユニット（２５、４０１）によって、記録され及び／又は転送されることを特徴とする請求項１に記載の配信チャネルの追跡方法。
【請求項７】
前記ディジタル情報（２２）のライセンス及び前記履歴データが、前記ディジタル情報（２２）とともに送信されることを特徴とする請求項１に記載の配信チャネルの追跡方法。
【請求項８】
前記ディジタル情報（２２）のライセンス及び前記履歴データが、前記ディジタル情報（２２）の使用を許諾するための１つのエンティティとして送信されることを特徴とする請求項１に記載の配信チャネルの追跡方法。
【請求項９】
前記ディジタル情報（２２）が、複数の前記実行ライセンス（４１、６５）によって同時に使用可能なネットサービスであることを特徴とする請求項１に記載の配信チャネルの追跡方法。
【請求項１０】
前記実行ライセンス（４１、６５）を形成するために、制限された前記ライセンス作成ユニット（２５、４０１）によって、前記ライセンス要求（６４）における特定の属性だけを修正するステップを含むことを特徴とする請求項１に記載の配信チャネルの追跡方法。
【請求項１１】
受信された前記ライセンス要求（６４）のデータが、前記ライセンス作成ユニット（２５、４０１）内の対応する前記ライセンステンプレート（６３）のデータを用いて確認されることを特徴とする請求項１に記載の配信チャネルの追跡方法。
【請求項１２】
ライセンス許諾により配信されるディジタル情報（２２）の配信チャネルを追跡するためのシステムであって、
前記ディジタル情報（２２）を使用するための実行ライセンス（４１、６５）を要求する手段と、
前記ディジタル情報（２２）の以前の所有及び前記ディジタル情報（２２）のライフサイクルに関する履歴データを含むライセンス要求（６４）を生成するためのライセンス要求ユニット（２４、４０３）と、
前記ライセンス要求（６４）によって要求された前記実行ライセンス（４１、６５）を作成するためのライセンス作成ユニット（２５、４０１）と、
要求された前記実行ライセンス（４１、６５）によって、前記ディジタル情報（２２）の使用を制御するためのライセンス制御ユニット（２１）とを含むことを特徴とする配信チャネルの追跡システム。
【請求項１３】
前記ライセンス作成ユニット（２５、４０１）が、前記履歴データ及び前記ディジタル情報（２２）の現在及び以前の所有に関するデータを含む前記ライセンステンプレート（６３）に基づいて、新しいデモライセンス（６９）を生成することに適応し、前記実行ライセンス（４１、６５）とともにそれらのデータを送信することに適応していることを特徴とする請求項１２に記載の配信チャネルの追跡システム。
【請求項１４】
前記ライセンス要求（６４）の属性が、前記ディジタル情報（２２）を使用するために要求された装置を識別するためのデータ及び前記ディジタル情報（２２）に関する前記履歴データを含むことを特徴とする請求項１２に記載の配信チャネルの追跡システム。
【請求項１５】
前記履歴データが、現在のライセンステンプレート（６３）のデータ及び／又は前記ディジタル情報（２２）のデモライセンス（６９）のデータ及び／又は前記ディジタル情報（２２）の以前の実行ライセンス（４１、６５）のデータ及び／又はアドオン製品の基本製品のデータを含むことを特徴とする請求項１４に記載の配信チャネルの追跡システム。
【請求項１６】
使用された前記ディジタル情報（２２）の配信チャネル及び前記ディジタル情報（２２）の前記ライフサイクルに関する前記履歴データを記録し、及び／又は転送するために、前記ディジタル情報（２２）の発行元によって制御される前記ライセンス作成ユニット（２５、４０１）を含むことを特徴とする請求項１２に記載の配信チャネルの追跡システム。
【請求項１７】
前記ディジタル情報（２２）の前記実行ライセンス（４１、６５）及び前記履歴データが、前記ディジタル情報（２２）とともに、又は該ディジタル情報（２２）とは別個に送信されることを特徴とする請求項１２に記載の配信チャネルの追跡システム。
【請求項１８】
ディジタルサービスが、複数の前記実行ライセンス（４１、６５）によって同時に使用可能なネットサービスであることを特徴とする請求項１２に記載の配信チャネルの追跡システム。
【請求項１９】
前記ライセンス要求ユニット（２４、４０３）が、前記ライセンステンプレート（６３）、デモライセンス（６９）及び廃止されたライセンスからの前記履歴データを取り出すためのツール及びその基本製品からアドオン製品に関する履歴データを取り出すためのツールを含むことを特徴とする請求項１２に記載の配信チャネルの追跡システム。
【請求項２０】
前記ライセンス作成ユニット（２５、４０１）が、前記実行ライセンス（４１、６５）を生成するために、前記ライセンス要求（６４）における特定の属性を修正するための制限されたライセンス作成ユニット（２５、４０１）であることを特徴とする請求項１２に記載の配信チャネルの追跡システム。
【請求項２１】
ディジタル情報（２２）を使用するための実行ライセンス（４１、６５）の要求に適応した、ディジタル情報（２２）を使用するためのユーザ用装置であって、
ライセンス要求（６４）の生成に適応するとともに、前記ライセンス要求（６４）に、前記ディジタル情報（２２）の以前の所有に関する履歴データ及び前記ディジタル情報（２２）のライフサイクルに関する履歴データを含めることに適応したライセンス要求ユニット（２４、４０３）を含み、
要求された前記実行ライセンス（４１、６５）を生成するためのライセンス作成ユニット（２５、４０１）に対する前記ライセンス要求（６４）の伝送に適応するとともに、前記ディジタル情報（２２）の使用の制御に適応したライセンス制御ユニット（２１）を含むことを特徴とするユーザ用装置。
【請求項２２】
ライセンス許諾により配信されるディジタル情報（２２）の配信チャネルを追跡する方法であって、
ライセンス作成ユニット（２５、４０１）で、ディジタル情報（２２）を使用するための実行ライセンス（４１、６５）を要求するユーザ用装置から、前記ディジタル情報（２２）の以前の所有に関する履歴データ及び前記ディジタル情報（２２）のライフサイクルに関する履歴データを含むライセンス要求（６４）を受信するステップと、
要求された前記実行ライセンス（４１、６５）を生成し、前記ライセンス要求（６４）を生成した前記ユーザ用装置に、生成された前記実行ライセンス（４１、６５）を伝送するステップと、
受信した前記ライセンス要求（６４）内の前記履歴データに基づいて、前記ディジタル情報（２２）の以前の所有者に報酬を授けるステップとを含むことを特徴とする配信チャネル追跡方法。
【請求項２３】
ディジタル情報（２２）を利用するための実行ライセンス（４１、６５）を受けるユーザ用装置からライセンス要求（６４）を受信することに適応した、配信チャネル及びライセンスによるディジタル情報（２２）の使用を追跡する装置であって、
前記装置が、
前記ライセンス要求（６４）から、前記ディジタル情報（２２）の以前の所有及び前記ディジタル情報（２２）のライフサイクルに関する履歴データを読み取ることに適応し、
要求された前記実行ライセンス（４１、６５）を生成し、前記ライセンス要求（６４）が発信された前記ユーザ用装置に、生成した実行ライセンス（４１、６５）を伝送することに適応したライセンス作成ユニット（２５、４０１）を含み、受信した前記ライセンス要求（６４）内の前記履歴データに基づいて、前記ディジタル情報（２２）の以前の所有者に報酬を授けることに適応していることを特徴とする装置。
【請求項２４】
以前の所有者のデータベースのデータに対して、インデックスとしての役割を果たすデータであり、前記ディジタル情報（２２）の以前の所有者に関する識別データを前記ディジタル情報（２２）に含めるステップを、さらに含むことを特徴とする請求項１に記載の配信チャネルの追跡方法。